(57)【要約】【課題】目で見ても手で触れても録音スイッチの操作状態を容易に確認することができるスイッチ釦構造を提供する。【解決手段】操作部１０ａが押圧操作されることにより円弧部１０ｃが録音スイッチ１１′を押圧してオンされた状態となる押圧操作状態と、該押圧操作状態から復帰して録音スイッチ１１′のオン状態が解除された状態である復帰状態と、の間で進退動する録音釦１０′と、該録音釦１０′を押圧操作状態から復帰状態へ戻る方向へ付勢する引張りコイルバネ２９と、録音釦１０′の他端部に一端部が係合されたロッド３４と、永久磁石３３と該永久磁石３３の磁力を誘導するコア３２と該コア３２に誘導された磁力を抑止する磁力を発するソレノイドコイル３１とを備え前記録音釦１０′を押圧操作することによりコア３２に前記ロッド３４の他端部を吸着し押圧操作の解除後も該吸着を保持するソレノイドプランジャ３０′とを設ける。【選択図】図５
2006134892.tif 000002
【特許請求の範囲】
【請求項１】
操作部が押圧操作されることにより一端部がスイッチを押圧してスイッチがオンされた状態となる押圧操作状態と、該押圧操作状態から復帰して前記スイッチのオン状態が解除された状態である復帰状態との間で進退動する操作手段と、
該操作手段を前記押圧操作状態から前記復帰状態へ戻る方向へ付勢する付勢手段と、
前記操作手段の他端部に一端部が係合された可動手段と、
永久磁石と、該永久磁石の磁力を誘導する磁力誘導部と、該磁力誘導部に誘導された磁力を抑止する磁力を発するコイルとを備え、前記操作手段を押圧操作することにより前記磁力誘導部に前記可動手段の他端部を吸着し、押圧操作の解除後も該吸着を保持するソレノイドプランジャと、
を備えたことを特徴とするスイッチ釦構造。
【請求項２】
前記操作手段の押圧操作解除後も、前記押圧操作状態が保持されているときに、前記ソレノイドプランジャのコイルに前記永久磁石の吸着力を抑止する方向の電流が流れた場合には、前記ソレノイドプランジャの磁力誘導部と前記可動手段との吸着状態が解除されることを特徴とする請求項１記載のスイッチ釦構造。
【請求項３】
前記永久磁石の吸着力は前記付勢手段の付勢力より大きく、前記コイルに前記永久磁石の吸着力を抑止する方向の電流が流れたときに、前記付勢手段の付勢力により前記操作手段が前記復帰状態に戻ることを特徴とする請求項２記載のスイッチ釦構造。
【請求項４】
押圧操作によって前記操作手段が押圧された前記押圧操作状態のときに、前記ソレノイドプランジャのコイルに前記永久磁石の吸着力を抑止する方向の電流が流れた場合には、前記可動手段の他端部と前記永久磁石との吸着が抑止されることを特徴とする請求項１記載のスイッチ釦構造。
【発明の詳細な説明】
【技術分野】
【０００１】
この発明は、録音媒体として光磁気ディスクを用いる小型ディスクプレーヤ装置等に用いられるスイッチ釦構造に関する。
【背景技術】
【０００２】
例えば、光磁気ディスクを用いる録音再生可能な小型ディスクプレーヤ装置が知られている。この小型ディスクプレーヤ装置では、筐型の装置本体内に、カートリッジに収納された光磁気ディスクを回転させるモータや再生用の光学ピックアップや録音用で磁界変調オーバーライトヘッド方式の磁気ヘッド等から成るメカデッキ部を配設してある。また、装置本体の外筐にはマイクロホン或はマイクロホン入力端子等のジャックを取付けてあると共に、録音スイッチをオン／オフさせる録音（ＲＥＣ）釦等の各種の操作釦を設けてある。そして、録音釦を押すことにより、マイクロホン等からの入力情報が磁気ヘッド等を介して光磁気ディスクに録音されるようになっている。
【発明の開示】
【発明が解決しようとする課題】
【０００３】
上記従来の小型ディスクプレーヤ装置の装置本体の外筐に設けられた録音（ＲＥＣ）釦や再生（ＰＬＡＹ）釦や巻戻し（ＲＥＷ）釦や早送り（ＦＦ）釦や一時停止（ＰＡＵＳＥ）釦や停止（ＳＴＯＰ）釦等の各種の操作釦は、いわゆるフェザータッチ式（電気スイッチ式）の釦であるため、操作釦自身を見ても操作された釦のモードに入っているかどうか全く判らない。従って、操作された釦に対応するように設けられた発光ダイオード（ＬＥＤ）を点灯させたり、或は液晶（ＬＣＤ）ディスプレイ等にそのモードを表示するようにしているが、例えば、マイクロホンだけを服につけ、装置本体をポケットの中に入れて録音する時等は、手探りで録音釦の操作状況を確認することは難しく、その録音モードの確認は出来なかった。
そこで、この発明は、目で見ても手で触れても録音釦の操作状態を容易に確認することができるように構成されたスイッチ釦構造を提供するものである。
【課題を解決するための手段】
【０００４】
請求項１に係る発明は、操作部が押圧操作されることにより一端部がスイッチを押圧してスイッチがオンされた状態となる押圧操作状態と、該押圧操作状態から復帰して前記スイッチのオン状態が解除された状態である復帰状態との間で進退動する操作手段と、該操作手段を前記押圧操作状態から前記復帰状態へ戻る方向へ付勢する付勢手段と、前記操作手段の他端部に一端部が係合された可動手段と、永久磁石と、該永久磁石の磁力を誘導する磁力誘導部と、該磁力誘導部に誘導された磁力を抑止する磁力を発するコイルとを備え、前記操作手段を押圧操作することにより前記磁力誘導部に前記可動手段の他端部を吸着し、押圧操作の解除後も該吸着を保持するソレノイドプランジャと、を備えたことを特徴とする。
【０００５】
この発明によれば、操作手段の操作部を押圧操作してスイッチをオンすると、この操作部の押圧操作状態はソレノイドプランジャのコアに設けられた磁石の吸着力により保持される。従って、押圧操作の解除後もスイッチのオン状態が保持される。また、操作部は押圧操作されてスイッチ側に後退しているので、目で見ても手で触れてもその操作状態は容易に確認される。
【０００６】
請求項２に係る発明は、前記操作手段の押圧操作解除後も、前記押圧操作状態が保持されているときに、前記ソレノイドプランジャのコイルに前記永久磁石の吸着力を抑止する方向の電流が流れた場合には、前記ソレノイドプランジャの磁力誘導部と前記可動手段との吸着状態が解除されることを特徴とする。
【０００７】
この発明によれば、永久磁石の吸着力が抑止されるので、付勢手段の作用により、操作手段が押圧操作状態から復帰状態に戻り、スイッチのオン状態が解除さされる。
【０００８】
請求項３に係る発明は、前記永久磁石の吸着力は前記付勢手段の付勢力より大きく、前記コイルに前記永久磁石の吸着力を抑止する方向の電流が流れたときに、前記付勢手段の付勢力により前記操作手段が前記復帰状態に戻ることを特徴とする。
【０００９】
この発明によれば、付勢手段の付勢力よりも永久磁石の吸着力が大きいため押圧操作状態を維持するが、永久磁石の吸着力を抑止する方向の電流がコイルに流れて付勢手段の付勢力が大きくなると、操作手段が押圧操作状態から復帰状態に戻る。
【００１０】
請求項４に係る発明は、押圧操作によって前記操作手段が押圧された前記押圧操作状態のときに、前記ソレノイドプランジャのコイルに前記永久磁石の吸着力を抑止する方向の電流が流れた場合には、前記可動手段の他端部と前記永久磁石との吸着が抑止されることを特徴とする。
【００１１】
この発明によれば、永久磁石の吸着力を抑止する方向の電流がコイルに流れると、付勢手段の付勢力が大きくなり、操作手段が押圧操作状態から復帰状態に戻る。
【発明の効果】
【００１２】
本発明に係るスイッチ釦構造によれば、操作手段の操作部を押圧操作してスイッチをオンした押圧操作状態の操作手段をソレノイドプランジャの吸着力により保持するようにしたので、操作部が押圧操作された状態を目で見ても手で触れても容易に確認することができ、スイッチをオンされたことの安心感をより一層増すことができる。
【発明を実施するための最良の形態】
【００１３】
以下、この発明の実施例を図面と共に詳述する。
【００１４】
図１〜図４は、小型ディスクプレーヤ装置（録音再生装置）に用いられる録音スイッチ構造の第１実施例を示す。この小型ディスクプレーヤ装置は、筐型の装置本体内に、カートリッジに収納された光磁気ディスクを回転させるモータと再生用の光学ピックアップと録音用で磁界変調オーバーライトヘッド方式の磁気ヘッド等から成るメカデッキ部（いずれも図示省略）を配設してある。また、上記装置本体の外筐にはマイクロホン或はマイクロホン入力端子等のジャック（図示省略）を取付けてあると共に、プッシュ式の録音スイッチ１１をオン／オフさせる録音（ＲＥＣ）釦１０とスライド式のポーズスイッチ１３をオン／オフさせる一時停止（ＰＡＵＳＥ）釦１２及びフェザータッチ式の停止（ＳＴＯＰ）釦１４と再生（ＰＬＡＹ）釦１５と早送り（ＦＦ）釦１６と巻戻し（ＲＥＷ）釦１７等の各種の操作釦をそれぞれ設けてある。
【００１５】
図１〜図４に示すように、録音釦１０は上記装置本体の所定位置に一対のピン２１，２１を介して録音スイッチ１１側に往復スライド動するスライド板２０に連結されている。このスライド板２０は先端に略三角形の鉤部２０ａを突設して該先端側で上記プッシュ式の録音スイッチ１１をオン／オフするようになっている。また、このスライド板２０の一時停止釦１２側には垂直起立部２０ｂを突設してあると共に、該スライド板２０は録音スイッチ１１の反対方向側に引張りコイルバネ２２により常時付勢されている。さらに、スライド板２０には一対のピン２１，２１が挿入される一対のガイド溝孔２０ｃ，２０ｃを形成してある。
【００１６】
一時停止釦１２は中間部材１２ａを介してスライド式のポーズスイッチ１３をオン／オフさせるものである。即ち、一時停止釦１２はそれ自身がポーズスイッチ１３に対してクリック感を持ったものであり、該一時停止釦１２を指で録音釦１０側にスライドさせるとポーズスイッチ１３がオンになり、停止釦１４側にスライドさせるとポーズスイッチ１３がオフになるようになっている。また、上記録音スイッチ１１とポーズスイッチ１３は制御回路１８に電気的にそれぞれ接続されていると共に、上記フェザータッチ式の停止釦１４と再生釦１５と早送り釦１６と巻戻し釦１７とでそれぞれ操作される図示しない各電気式スイッチも制御回路１８に接続されている。
【００１７】
図２，図３に示すように、録音釦１０がスライド板２０を介して録音スイッチ１１をオンした押圧操作状態はロック板（ロック部材）２３によりロックされるようになっている。このロック板２３は上記装置本体の所定位置に一対のピン２４，２４を介してスライド板２０と直交する録音スイッチ１１側に往復スライド動自在になっており、その先端側にスライド板２０の鉤部２０ａに係脱する略逆Ｌ字形の鉤部２３ａを突設してある。また、このロック板２３の中央にはボス２３ｂを突設してあると共に、該ロック板２３は録音スイッチ１１側に引張りコイルバネ２５により常時付勢されている。さらに、ロック板２３には一対のピン２４，２４が挿入される一対のガイド溝孔２３ｃ，２３ｃを形成してある。
【００１８】
図１〜図４に示すように、スライド板２０と一時停止釦１２との間からロック板２３の下方には、該ロック板２３による上記録音釦１０の押圧操作状態（録音スイッチ１１をオンした時の状態）のロック状態を解除させる解除板（解除部材）２６を設けてある。この解除板２６はＬ字状に折り曲げ形成してあり、その略中央を上記装置本体の所定位置に支軸２７を介して揺動自在にしてある。この解除板２６のＬ字状に折れ曲がった一端２６ａはスライド板２０の垂直起立部２０ｂに係止されていると共にその基部２６ｂは一時停止釦１２の中間部材１２ａに当接，離反するようになっている。また、解除板２６の中央部２６ｃの縁部にはロック板２３のボス２３ｂを当接係止させていると共に、その他端２６ｄ側は引張りコイルバネ２８により録音スイッチ１１側に常時付勢されている。さらに、解除板２６の他端２６ｄ側には、電磁石形のソレノイドプランジャ３０の一対のコア３２，３２に吸着される金属製で略コ字形のロッド３４をピン３５により枢支してある。このソレノイドプランジャ３０の一対のソレノイドコイル３１，３１は制御回路１８に接続されており、操作釦１０或は一時停止釦１２を操作することにより制御回路１８を介して各ソレノイドコイル３１に電流が流れ（通電され）て各ソレノイドコイル３１とコア３２とで電磁石が構成されるようになっている。これにより、各コア３２にロッド３４が吸着されるようになっている。この電磁石の吸着力の解除は、停止釦１４を操作してソレノイドコイル３１への通電を停止することにより行われるようになっている。
【００１９】
尚、上記引張りコイルバネ２８の引っ張り力の方が上記引張りコイルバネ２５の引っ張り力よりも強くなるように設定されている。これにより、図１に示す停止状態において、解除板２６はロック板２３をスライド板２０より離れる方向に付勢している。また、上記ソレノイドプランジャ３０は電磁石形のものを用いたが、後述する第２実施に用いられる内磁形のものを用いてもよい。この場合には各コア３２に設けられた磁石（図５（ｂ）及び図６（ｂ）に示す符号３３）により各コア３２を介してロッド３４が吸着され、停止釦１４を操作することにより各ソレノイドコイル３１に磁石の吸着力をキャンセルする方向の電流を流して各コア３２のロッド３４に対する吸着力を解放するようにすればよい。
【００２０】
以上実施例の小型ディスクプレーヤ装置の録音スイッチ構造によれば、マイクロホン等からの入力情報を光磁気ディスクに録音する際に、図１に示す停止状態から録音釦１０を押すと、スライド板２０の垂直突起部２０ｂにより解除板２６の一端２６ａが押されて該解除板２６が支軸２７を中心に図中反時計方向に回転する。この時、図２に示すように、ソレノイドプランジャ３０の各ソレノイドコイル３１に通電され、上記解除板２６の回転により該解除板２６の一端側にピン３５により枢支されたロッド３４がソレノイドプランジャ３０の各コア３２に吸着される。これと同時に、ロック板２３がスライド板２０側に移動し、該スライド板２０の鉤部２０ａとロック板２３の鉤部２３ａが係止されてスライド板２０の移動状態、即ち録音釦１０の押圧操作状態がロックされると共に、録音スイッチ１１がオン状態になる。この時、図２に示す録音状態はソレノイドプランジャ３０の吸着力によりホールド（保持）されており、また、一時停止釦１２により操作されるポーズスイッチ１３はオフ状態である。この図２に示す録音状態より上記一時停止釦１２をスライド操作して図３に示すようにポーズスイッチ１３をオンする時には、解除板２６のロッド３４がソレノイドプランジャ３０の各コア３２に吸着した状態になっているので、一時停止釦１２の移動のみでポーズスイッチ１３はオン状態になる。
【００２１】
また、図１に示す停止状態から図４に示すように、一時停止釦１２のみをスライド操作すると、一時停止釦１２の中間部材１２ａにより解除板２６の折れ曲げ部の基部２６ｂが押されて該解除板２６が支軸２７を中心に図中反時計方向に回転する。この時、図４に示すように、ソレノイドプランジャ３０の各ソレノイドコイル３１に通電され、上記解除板２６の回転により該解除板２６の一端側にピン３５により枢支されたロッド３４がソレノイドプランジャ３０の各コア３２に吸着される。この状態から、図３に示すように、録音釦１０を押すと、スライド板２０が録音スイッチ１１側に移動し、該スライド板２０の鉤部２０ａとロック板２３の鉤部２３ａが係止して録音釦１０の押圧操作状態がロックされると共に、録音スイッチ１１がオン状態になる。
【００２２】
次に、図２に示す録音状態から停止釦１４を押すと、ソレノイドプランジャ３０の各ソレノイドコイル３１への通電が停止され、ソレノイドプランジャ３０のロッド３４に対する吸着力が解除される。これにより、解除板２６が引張りコイルバネ２８の引っ張り力で図中時計方向に回転する。この解除板２６の回転によりロック板２３のボス２３ｂを解除板２６が押して該ロック板２３がスライド板２０から離れる方向に移動する。このロック板２０の移動により録音釦１０の押圧操作状態のロック状態が解除され、録音スイッチ１１がオフ状態となる。また、図３に示す録音及び一時停止状態から停止釦１４を押すと、録音スイッチ１１がオフ状態となると共に、解除板２６の時計方向の回転により解除板２６の折れ曲げ部の基部２６ｂが一時停止釦１２の中間部材１２ａを押して該一時停止釦１２をスライド移動させてポーズスイッチ１３もオフ状態になる。即ち、一時停止釦１２の解除は、停止釦１４を押すことでも、手動でスライド動させることでも可能となる。
【００２３】
さらに、図４に示すポーズスイッチ１３のみがオンの状態より、停止釦１４を押すと、ソレノイドプランジャ３０の各ソレノイドコイル３１への通電が停止され、ソレノイドプランジャ３０のロッド３４に対する吸着力が解除される。これにより、解除板２６が引張りコイルバネ２８の引っ張り力により時計方向に回転して該解除板２６の折れ曲げ部の基部２６ｂが一時停止釦１２の中間部材１２ａを押し、該一時停止釦１２をスライド移動させてポーズスイッチ１３がオフ状態になる。即ち、一時停止釦１２の解除は、停止釦１４を押すことでも、手動でスライド動させることでも可能となる。
【００２４】
このように、録音釦１０や一時停止釦１２を操作してマイクロホン等からの入力情報が光磁気ディスクに録音されたり、録音が一時停止されるが、録音再生機としての小型ディスクプレーヤ装置の録音釦１０や一時停止釦１２の操作が目で見ても、指で触れたりする手探りでも容易に確認可能となり、録音操作の安定感が増す。また、録音釦１０と一時停止釦１２のみを機械的なロック式とし、他の停止釦１４や再生釦１５等をフェザータッチの電気式にしたので、録音釦１０や一時停止釦１２の操作状態を点灯で示すための発光ダイオード（ＬＥＤ）等が不要となるため、その分低コスト化を図ることができる。
【００２５】
図５，図６は第２実施例の小型ディスクプレーヤ装置（録音再生装置）の録音スイッチ構造を示す。この録音スイッチ構造に用いられる操作手段としての録音釦１０′は、装置本体を構成するキャビネット１の孔部２に対して進退動する操作部１０ａと、この操作部１０ａの基端が一体成形されたベース部１０ｂとで略Ｔ字形に形成されている。この録音釦１０′のベース部１０ｂの一端（図中下端側）側は支軸１９を介して揺動自在に支持されており、この一端とキャビネット１内の所定位置とに介在された付勢手段としての引張りコイルバネ２９を介して操作部１０ａがキャビネット１の孔部２より外側に突出するようになっている。
【００２６】
また、録音釦１０′のベース部１０ｂの一端側に突出形成された円弧部１０ｃによりスイッチとしての録音スイッチ１１′がオン／オフされるようになっている。さらに、録音釦１０′のベース部１０ｂの他端（図中上端側）には、内磁形のソレノイドプランジャ３０′をピン３５により枢支してある。このソレノイドプランジャ３０′は、図５（ｂ）及び図６（ｂ）に示すように、コイルとしての四角筒状の各ソレノイドコイル３１内の一端側に磁力誘導部としての各コア３２を嵌め込んであり、その外に出た一対のコア３２，３２間には永久磁石３３を介在してある。また、各ソレノイドコイル３１内の他端側には、可動手段としての金属製でコ字形のロッド３４を遊挿してある。該ロッド３４は、録音釦１０′のベース部１０ｂの他端側に、ピン３５により枢支されている。尚、上記ソレノイドプランジャ３０′の各コア３２と磁石３３による吸着力は、引張りコイルバネ２９の引っ張り力より大きくなるように設定されている。
【００２７】
図５（ａ）に示す停止状態から、録音釦１０′の操作部１０ａを押すと、支軸１９を中心としてベース部１０ｂが図中時計方向に揺動する。これにより、図６（ａ）に示すように、ベース部１０ｂの円弧部１０ｃにより録音スイッチ１１′はオンされ（押圧操作状態）、図６（ａ），（ｂ）に示すように、ベース部１０ｂにピン枢支されたロッド３４はソレノイドプランジャ３０′の磁石３３の吸着力により各コア３２に吸着される。そして、使用者が指を録音釦１０′の操作部１０ａから離しても、上記録音スイッチ１１′のオン状態はソレノイドプランジャ３０′の吸着力により保持される。尚、録音釦１０′の操作部１０ａを押した時、例えば、「録音停止状態」であった場合には、録音スイッチ１１′のオンと同時（または後）に、ソレノイドプランジャ３０′の各ソレノイドコイル３１に磁石３３の吸着力をキャンセルする方向の電流を流し続ける。これにより、録音釦１０′の操作部１０ａの押圧状態を離した時に直ちに録音釦１０′は元の状態（復帰状態）に戻り、「録音防止状態」であることが判るし、ソレノイドプランジャ３０′の吸着力は解除される。
【００２８】
図６（ａ）に示す録音スイッチ１１′のオン状態を解除する場合には、図示しない停止釦を操作して上記ソレノイドプランジャ３０′の各ソレノイドコイル３１に磁石３３の吸着力をキャンセルする方向の電流を流す。これにより、ソレノイドプランジャ３０′の吸着力は解除され、引張りコイルバネ２９の引っ張り力により録音釦１０′は元の状態に復帰して（復帰状態）録音スイッチ１１′はオフされる。
このように、録音釦１０′の押圧操作による録音スイッチ１１′のオン状態をソレノイドプランジャ３０′の吸着力により保持するようにしたので、録音再生機としての小型ディスクプレーヤ装置の録音釦１０′の押圧操作による録音モードが目で見ても、手探りでも極めて容易に確認可能となり、録音操作の安定感が増す。
【００２９】
図７は第３実施例の録音スイッチ構造を備えた小型ディスクプレーヤ装置（録音再生装置）ＤＰを示し、図８〜図１１は上記第３実施例の録音スイッチ構造を示す。この録音スイッチ構造に用いられる録音釦１０″は、装置本体を構成する筐型のキャビネット１の上壁部の右前コーナ部側に形成された孔部２に対して進退動（上下動）自在に設けられている。この録音釦１０″は、キャビネット１の上壁部の内面にネジ等を所定手段を介して取付けられた金属製のシャーシ３の垂直片３ａの内側に沿って上下動（上下方向に揺動）する金属製のレバー２０″に連結されている。
【００３０】
このレバー２０″の一端部２０ａは、シャーシ３の垂直片３ａの一端上コーナ部に支軸１９を介して上下方向に回動（揺動）自在に支持してあると共に、その他端部側の垂直に折り曲げられた折曲部２０ｂの上部側は、図９（ｂ）に示すように、シャーシ３の上側水平片３ｂに形成された矩形の孔部３ｄを通って上方へ突出している。この折曲部２０ｂの上端に上記録音釦１０″の操作部１０ａを固定してある。さらに、レバー２０″の上端部の折曲部２０ｂ寄りの位置には操作片２０ｃがＬ字状に外側に延びるように一体突出形成されている。この操作片２０ｃは、図８（ａ），（ｂ）に示すように、シャーシ３の上側水平片３ｂの垂直片３ａ寄りに形成されたスリット３ｅを通って上方に突出しており、該操作片２０ｃでプッシュ式の録音スイッチ（検出スイッチ）１１をオン／オフするようになっている。また、レバー２０″の折曲部２０ｂの下端の折曲片２０ｄとシャーシ３の垂直片３ａの他端上部の折曲片３ｆとの間には引張りコイルバネ２２を介在してある。この引張りコイルバネ２２の引っ張り力によりレバー２０″の折曲部２０ｂの上部側及び操作片２０ｃの上部側はシャーシ３の上側水平片３ｂより常に上方に突出するように付勢されている。
【００３１】
図１１（ａ），（ｂ）に示すように、録音釦１０″がレバー２０″を介して録音スイッチ１１をオンした押圧操作状態は、金属製のロック板（ロック部材）２３″によりロックされるようになっている。図９（ａ），（ｂ）に示すように、ロック板２３″は他端側の略Ｌ字形の鉤部２３ａと一端側の折曲部２３ｂとの間で略く字板状に形成してあり、その中央部を上記シャーシ３の垂直片３ａの略中央に支軸２７を介して上下方向に回動自在に支持してある。このロック板２３″の鉤部２３ａは、レバー２０″に軸２４ａを介して回転自在に支持されたロックスリーブ２４ｂに係脱自在になっている。このロックスリーブ２４ｂは摩擦抵抗によって動作不良を起こさないように軸２４ａの回りを自由に回転するようになっている。
【００３２】
また、ロック板２３″を回動自在に支持している支軸２７には、該ロック板２３″による上記録音釦１０″の押圧操作状態（録音スイッチ１１をオンした時の状態）のロック状態を解除させる合成樹脂製の解除板（解除部材）２６″を回動自在に支持してある。この解除板２６″は左片部２６ａと下片部２６ｂと右片部２６ｃと上片部２６ｄとで略十字状に一体形成してあり、その中央の円筒部２６ｅに上記支軸２７を挿通してある。この解除板２６″のＬ字状に折れ曲がった上記左片部２６ａの下縁は、図９（ａ），（ｂ）に示すように、上記レバー２０″の下縁の下側折曲片２０ｅに係止されている。さらに、解除板２６″の下片部２６ｂに併設された円柱部２６ｆとシャーシ３の下側水平片３ｃの折曲片３ｇとの間には引張りコイルバネ２８を介在してある。この引張りコイルバネ２８の引っ張り力により解除板２６″を図中反時計方向に回転させて該解除板２６″の下片部２６ｂがレバー２０″の下縁の下側折曲片２０ｅを常に下方に押圧するようになっている。
【００３３】
また、解除板２６″の右片部２６ｃの起立部２６ｇと円筒部２６ｅ及びロック板２３″の鉤部２３ａ側の起立片部２３ｃには、捩りコイルバネ２５″を介在してある。この捩りコイルバネ２５″の捩り付勢力によりロック板２３″が図中時計方向に常に回転付勢されるようになっている。さらに、図８（ａ），（ｂ）に示すように、解除板２６″の上片部２６ｄ上に突出した円柱部２６ｈには、内磁形のソレノイドプランジャ３０′の可動片としてのロッド３４の孔部３４ａを挿入，係止してある。このソレノイドプランジャ３０′は、四角筒状の一対のソレノイドコイル３１，３１内の各他端側にコ字状のコア３２′の両端をそれぞれ嵌め込んであり、その外に出たコ字状のコア３２′の中央の隙間には永久磁石３３を介在してある。また、一対のソレノイドコイル３１，３１内の各一端側には、金属製でコ字形の上記ロッド３４の両端をそれぞれ遊挿してある。尚、上記ソレノイドプランジャ３０′のコア３２′と磁石３３による吸着力は、引張りコイルバネ２８の引っ張り力より大きくなるように設定されている。また、各ソレノイドコイル３１の磁力の影響を避けるためにコア３２′は、図９（ｂ）に示すように、亜鉛ダイガスト部品３６を介してシャーシ３の上側水平片３ｂの下面にネジ止めされている。
【００３４】
以上構成の第３実施例の小型ディスクプレーヤ装置ＤＰの録音スイッチ構造によれば、図８（ａ）及び図９（ａ），（ｂ）に示す停止（ＳＴＯＰ）状態において、レバー２０″には引張りコイルバネ２２によってその折曲部２０ｂの上部がシャーシ３の垂直片３ａより上方に突出する方向に力がかかっている。また、ロック板２３″には捩りコイルバネ２５″によって時計方向に力がかかっているとともに、解除板２６″には引張りコイルバネ２８により反時計方向に力がかかっている。この停止状態では、引張りコイルバネ２２及びソレノイドプランジャ３０′の力でレバー２０″等の各部材が図９（ａ），（ｂ）に示す状態を保っている。
【００３５】
そして、図９（ａ），（ｂ）に示す停止状態から、録音釦１０″の操作部１０ａを押圧操作すると、レバー２０″が支軸１９を中心として図中反時計方向に揺動する。これによって、レバー２０″の折曲部２０ｂが押し下げられると、図１０（ａ），（ｂ）に示すように、レバー２０″に軸２４ａを中心として回転自在に支持されているロックスリーブ２４ｂにロック板２３″の鉤部２３ａが係止されてレバー２０″をロックすると同時に、レバー２０″の操作片２０ｃで録音スイッチ１１がオンされる。この時、解除板２６″の左片部２６ａはレバー２０″の下側折曲片２０ｅから離れて自由になり、解除板２６″に円柱部２６ｈ等により枢支されたロッド３４はソレノイドプランジャ３０′のコア３２′と磁石３３の吸着力によりコア３２′に吸着される。このソレノイドプランジャ３０′の吸着力によって引張りコイルバネ２８の引っ張り力による解除板２６″の回転が止められている。そして、使用者が指を録音釦１０″の操作部１０ａから離しても上記録音スイッチ１１のオン状態はソレノイドプランジャ３０′の吸着力が解除されてもロック板２３″により確実に保持される。
【００３６】
図１０（ａ），（ｂ）に示す録音スイッチ１１のオン状態を解除する場合に、図示しない停止釦を操作してソレノイドプランジャ３０′の各ソレノイドコイル３１をオフにするパルス信号を与える（磁石３３の吸着力をキャンセルする方向の電流を流す）と、ソレノイドプランジャ３０′のコア３２′と磁石３３の吸着力が引張りコイルバネ２８の引っ張り力より小さくなり、図１１（ａ），（ｂ）に示すように、解除板２６″が反時計方向に回転する。その際に、解除板２６″の右片部２６ｃがロック板２３″の折曲部２３ｂを押圧してロック板２３″を同時に反時計方向に回転させ、レバー２０″のロック状態を解除する。
【００３７】
このロック状態の解除により、レバー２０″の折曲部２０ｂが上方に復帰する時、レバー２０″の下側折曲片２０ｅにより解除板２６″の左片部２６ａを上方に押圧して解除板２６″を時計方向に回転させる。これによって、ソレノイドプランジャ３０′のロッド３４を磁石３３に再吸着させ、録音釦１０″は元の状態に復帰して録音スイッチ１１はオフされる。
【００３８】
このように、録音釦１０″の押圧操作による録音スイッチ１１のオン状態（録音ができている状態）は、ロック板２３″の鉤部２３ａがレバー２０″のロックスリーブ２４ｂに係止される際に発生する「カチッ」という音や、録音再生機としての小型ディスクプレーヤ装置ＤＰの録音釦１０″の操作部１０ａの押圧状態を目で見ても、手探りでも極めて容易に確認可能となり、確実な操作により録音操作の安定感が増す。また、レバー２０″のロックをする前にそのロックがされないようにソレノイドプランジャ３０′を解放しておくことにより、録音再生機としての小型ディスクプレーヤ装置ＤＰの録音釦１０″のホールド時の誤録音や、再生専用ディスクでの録音操作を防ぐことができる。これにより、誤操作防止のためのロック機構が不要となる。
【００３９】
尚、前記各実施例によれば、光磁気ディスクを用いた小型ディスクプレーヤ装置の録音スイッチ構造及び録音再生装置について説明したが、ディジタルオーディオテープ（ＤＡＴ）を用いたディジタルオーディオテープレコーダ等の他の録音スイッチ構造及び録音再生装置に前記各実施例を適用できることは勿論である。また、第１実施例では電磁形のソレノイドプランジャを用い、第２，３実施例では内磁形のソレノイドプランジャを用いたが、上記第１実施例に内磁形のソレノイドプランジャを用い、上記第２，３実施例に電磁形のソレノイドプランジャを用いてもよく、さらに、ソレノイドプランジャの構造も前記各実施例のものに限られるものではない。
【図面の簡単な説明】
【００４０】
【図１】この発明の第１実施例を示す小型ディスクプレーヤ装置に用いられる録音スイッチ構造の録音釦の停止状態を示す説明図。
【図２】上記録音釦の押圧操作（録音）状態を示す説明図。
【図３】上記録音釦の録音状態から一時停止釦をオン操作した状態を示す説明図。
【図４】上記録音釦の停止状態から上記一時停止釦のみをオン操作した状態を示す説明図。
【図５】（ａ）は第２実施例の小型ディスクプレーヤ装置に用いられる録音スイッチ構造の録音釦の停止状態を示す説明図、（ｂ）は同録音スイッチ構造のソレノイドプランジャ部分の拡大断面説明図。
【図６】（ａ）は上記第２実施例の録音スイッチ構造の録音釦の押圧操作状態を示す説明図、（ｂ）は同録音スイッチ構造のソレノイドプランジャ部分の拡大断面説明図。
【図７】第３実施例の録音スイッチ構造を用いる小型ディスクプレーヤ装置全体の平面図。
【図８】（ａ）は上記第３実施例の録音スイッチ構造の録音釦の停止及び押圧操作後のロック状態を示す平面図、（ｂ）は同録音スイッチ構造の録音釦のロック解除時の状態を示す平面図。
【図９】（ａ）は上記第３実施例の小型ディスクプレーヤ装置に用いられる録音スイッチ構造の録音釦の停止状態を示す説明図、（ｂ）は同停止状態の斜視図。
【図１０】（ａ）は上記第３実施例の小型ディスクプレーヤ装置に用いられる録音スイッチ構造の録音釦の押圧操作後のロック状態を示す説明図、（ｂ）は同ロック状態の斜視図。
【図１１】（ａ）は上記第３実施例の小型ディスクプレーヤ装置に用いられる録音スイッチ構造の録音釦のロック解除状態を示す説明図、（ｂ）は同ロック解除状態の斜視図。
【符号の説明】
【００４１】
１０′…録音釦（操作手段）
１０ａ…操作部
１０ｃ…円弧部（一端部）
１１′…録音スイッチ
２９…引張りコイルバネ（付勢手段）
３０′…ソレノイドプランジャ
３１…ソレノイドコイル（コイル）
３２…コア（磁力誘導部）
３３…永久磁石
３４…ロッド（可動手段）
【図１】
2006134892.tif 000003
【図２】
2006134892.tif 000004
【図３】
2006134892.tif 000005
【図４】
2006134892.tif 000006
【図５】
2006134892.tif 000007
【図６】
2006134892.tif 000008
【図７】
2006134892.tif 000009
【図８】
2006134892.tif 000010
【図９】
2006134892.tif 000011
【図１０】
2006134892.tif 000012
【図１１】
2006134892.tif 000013